(57)【要約】【課題】接続したテレビや受信した番組または再生したコンテンツ内容に応じて、最適な映像や音声設定を自動的に行う自動テレビ接続設定装置を提供する。【解決手段】ファイル生成部（１７１）はテレビ（１００）から設定情報（Ｉｓ）を取得して、テレビ設定情報（Ｓｔ）をファイルとして生成すると共に、コンテンツデータ源（Ｓｃ）からコンテンツの属性情報（Ｉａ：Ｍｖ，Ｍｓ，Ｍｆ）を取得してコンテンツ情報（Ｉｃ）をファイルとして生成し、判定結果ファイル生成部（１７３）はコンテンツ情報（Ｉｃ）とテレビ設定情報（Ｓｔ）との整合性を判定して判定結果（Ｊ）を表す判定結果情報（Ｉｊ）をファイルとして生成し、接続設定変換指示部（１７５）は判定結果情報（Ｉｊ）に基づいて設定情報（Ｉｓ：Ｍｖ、Ｍａ、Ｍｆ）の変換を指示する。【選択図】図２
2008227641.tif 000002
【特許請求の範囲】
【請求項１】
デジタルデータからコンテンツを再生するテレビに接続されて、再生されるコンテンツに応じて当該テレビを設定する自動テレビ接続設定装置であって、
前記テレビから当該テレビの設定状態を表す設定情報を取得して、当該テレビを設定し直すテレビ設定情報をファイルとして生成する第１のファイル生成手段と、
前記デジタルデータの供給源であるコンテンツデータ源から供給されるコンテンツの属性情報を取得して、コンテンツ情報をファイルとして生成する第２のファイル生成手段と、
前記コンテンツ情報と前記テレビ設定情報との整合性を判定して判定結果を表す判定結果情報をファイルとして生成する判定結果ファイル生成手段と、
前記判定結果情報に基づいて、前記設定情報の変換を指示する設定変換指示手段とを備える自動テレビ接続設定装置。
【請求項２】
前記コンテンツデータ源は、デジタル放送を受信するチューナ、ＤＶＤレコーダ、および次世代ＤＶＤレコーダに代表される録画再生系とインターネットとの少なくとも１つを含むことを特徴とする請求項１に記載の自動テレビ接続設定装置。
【請求項３】
前記コンテンツ情報は、前記コンテンツのジャンル情報、映像情報、および音声情報の少なくとも１つを含む属性情報に基づいて生成されることを特徴とする請求項１に記載の自動テレビ接続設定装置。
【請求項４】
前記設定情報は、前記テレビの映像メニュー、サウンドメニュー、および映像出力フォーマット設定の少なくとも１つを含むことを特徴とする請求項１に記載の自動テレビ接続設定装置。
【請求項５】
前記設定変換指示手段は、映像メニュー、サウンドメニュー、および映像出力フォーマット設定の少なくとも１つの変換を指示することを特徴とする請求項４に記載の自動テレビ接続設定装置。
【発明の詳細な説明】
【技術分野】
【０００１】
本発明は、ＨＤＭＩ規格に準拠したデジタルインターフェイスなどを備えたデジタル受信装置などにおいて、再生するコンテンツに応じて接続したテレビの最適な映像設定や音声設定を自動的に行なう自動テレビ接続設定装置に関する。
【背景技術】
【０００２】
従来の自動テレビ接続設定装置は、代表的には以下に述べる２つの種類がある。第１の種類（例えば、特許文献１参照）では、ＩＥＥＥ１３９４規格等のように、ＡＶ機器が接続または外れたことを検出する機能を有するデジタルインターフェイスを使用し、検出信号をトリガーとして、ＡＶ機器の新規接続やケーブルの外れに伴い各種設定を自動的に行なわせている。
【０００３】
第２の種類（例えば、特許文献２参照）では、処理装置および表示装置との間が信号線および通信線にて接続されている。処理装置では画像ファイルに基づく画像信号が信号線を介して出力され、画像ファイルから生成条件に関する情報を含む属性情報が読み取られる。そして、読み取られた属性情報から表示形式が決定され、決定された表示形式を示す形式情報が通信線を介して送信される。表示装置では、受信した形式情報に基づいて画質を調整し、調整した画質で入力された画像信号を表示する。
【０００４】
図４に、上述の第２の種類の自動テレビ接続設定装置の構成を示す。処理装置１０は、ＣＰＵ１１、補助記憶手段１２、記録手段１３、ＲＡＭ１４、入力手段１５、ビデオカード１６、および通信用ボード１７を備えている。処理装置１０はパーソナルコンピュータ等のコンピュータを用いて構成されている。ＣＰＵ１１は、処理装置１０の全体を制御する。補助記憶手段１２は、処理装置用のコンピュータプログラムおよびデータ等の情報を記録したＣＤ−ＲＯＭ等の記録媒体ＲＥＣから情報を読み取るＣＤ−ＲＯＭドライブ等で構成される。
【０００５】
記録手段１３は、補助記録手段１２により読み取られたコンピュータプログラムおよびデータ等の情報を記録するハードディスク等で構成される。入力手段１５はマウスおよびキーボード等で構成される。また、ＲＡＭ１４は情報を一時的に記憶する。なお、記録手段１３には、画像ファイルに含まれる属性情報および表示形式を対応付けて記録する対応テーブル１０ａが記録されている。
【０００６】
そして、記録手段１３から処理装置用のコンピュータプログラムおよびデータ等の各種情報を読み取り、ＲＡＭ１４に記憶させてＣＰＵ１１により実行することで、処理装置１０は動作する。さらに処理装置１０は、ＵＳＢ等の規格にて規定された通信を制御するＵＳＢコントローラ等の通信制御部１７１にて制御される通信に用いられるコネクタ等の通信線接続部１７２を有する通信用ボード１７を備えている。
【０００７】
処理装置１０が備える信号線接続部１６３には画像信号を伝送する信号線Ｌ１の一端が、通信線接続部１７２には各種情報を伝送する通信線Ｌ２の一端が夫々接続されている。信号線Ｌ１および通信線Ｌ２の他端はＣＲＴディスプレイ、液晶ディスプレイおよびプラズマディスプレイ等の表示装置２０に接続されている。表示装置２０は、信号線Ｌ１の他端を接続するコネクタ等の信号線接続部２１を備えている。信号線接続部２１から入力された画像信号はビデオ回路２２へ送られ、ビデオ回路２２は画像信号に基づく画像をＣＲＴ等の表示部２３に表示させる。
【０００８】
また表示装置２０は、通信線Ｌ２の他端を接続するコネクタ等の通信線接続部２４１およびＵＳＢコントローラ等の通信制御部２４２を有する通信回路２４を備えている。通信線接続部２４１から受信した様々な情報はマイクロコンピュータ等の制御回路２５へ送られ、制御回路２５では受信した情報に基づいて各種処理およびビデオ回路２２の制御を行う。
【特許文献１】特開平９−１１６８１９号公報
【特許文献２】特開平１５−３３７５８１号公報
【発明の開示】
【発明が解決しようとする課題】
【０００９】
上述の２種類の自動テレビ接続設定装置では、コンテンツ内容に応じて一般ユーザがその都度映像設定や音声設定などを切り換える必要がなく、自動的に設定を切り換えることが可能である。しかしながら、接続先のテレビによって各種設定情報は異なるため一般ユーザが意図する映像設定や音声設定で出力されるものではなかった。
【００１０】
本発明は、上述の問題に鑑みて、映像フォーマットや受信または再生したコンテンツ内容に応じて、接続したテレビを最適に設定してより高画質および高音質な環境でテレビ番組やビデオ映像を再生できる自動テレビ接続設定装置を提供することを目的とする。
【課題を解決するための手段】
【００１１】
前記従来の課題を解決するために、本発明は、
デジタルデータからコンテンツを再生するテレビに接続されて、再生されるコンテンツに応じて当該テレビを設定する自動テレビ接続設定装置であって、
前記テレビから当該テレビの設定状態を表す設定情報を取得して、当該テレビを設定し直すテレビ設定情報をファイルとして生成する第１のファイル生成手段と、
前記デジタルデータの供給源であるコンテンツデータ源から供給されるコンテンツの属性情報を取得して、コンテンツ情報をファイルとして生成する第２のファイル生成手段と、
前記コンテンツ情報と前記テレビ設定情報との整合性を判定して判定結果を表す判定結果情報をファイルとして生成する判定結果ファイル生成手段と、
前記判定結果情報に基づいて、前記設定情報の変換を指示する設定変換指示手段とを備える自動テレビ接続設定装置。
【００１２】
前記コンテンツデータ源は、デジタル放送を受信するチューナ、ＤＶＤレコーダ、および次世代ＤＶＤレコーダに代表される録画再生系とインターネットとの少なくとも１つを含むことが望ましい。
【００１３】
前記コンテンツ情報は、前記コンテンツのジャンル情報、映像情報、および音声情報の少なくとも１つを含む属性情報に基づいて生成されることが望ましい。
【００１４】
前記設定情報は、前記テレビの映像メニュー、サウンドメニュー、および映像出力フォーマット設定の少なくとも１つを含むことが望ましい。
【００１５】
前記設定変換指示手段は、映像メニュー、サウンドメニュー、および映像出力フォーマット設定の少なくとも１つの変換を指示することが望ましい。
【発明の効果】
【００１６】
本発明の自動テレビ接続設定装置によれば、再生するコンテンツに応じてテレビの画質や音声の調整等を接続したテレビに最適なテレビ接続設定を自動的に行い、より高画質・高音質な環境でテレビ番組やビデオ映像の視聴を可能にする。
【発明を実施するための最良の形態】
【００１７】
以下に図面を参照して、本発明の実施の形態にかかる自動テレビ接続設定装置について説明する。図１に示すように、自動テレビ接続設定装置１１０は、ＨＤＭＩ規格に準拠したデジタルインターフェイスを介してテレビ１００に接続されると共にＬＡＮ１５０を介してインターネット１８０に接続された状態で使用される。自動テレビ接続設定装置１１０は、ＡＶデコーダ部１６０および接続設定部１７０を含む。
【００１８】
ＡＶデコーダ部１６０は、チューナ１２０、録画系１３０、再生系１４０、およびインターネット１８０に接続されている。チューナ１２０は有線あるいは無線で放送局などから放送コンテンツのデータ（以降、「コンテンツデータＣ」）を取得する。再生系１４０はＤＶＤプレーヤの等の非放送メディアで供給されるコンテンツデータＣの再生手段である。録画系１３０はチューナ１２０、再生系１４０、およびインターネット１８０から伝送されるデータを記録保存する手段であり、通常記録保存されたコンテンツデータの再生機能を有する。この意味において本明細書においては、チューナ１２０、録画系１３０、再生系１４０、およびインターネット１８０をコンテンツデータ源ＳＣと総称する。
【００１９】
ＡＶデコーダ部１６０は、テレビ１００で再生するコンテンツ（コンテンツデータＣ）の属性情報Ｉａをコンテンツデータ源ＳＣから取得する。属性情報Ｉａには放送番組のジャンル情報、映像情報、および音声情報が含まれる。接続設定部１７０は取得した属性情報Ｉａに基づいてコンテンツ情報Ｉｃをファイルとして生成する。
【００２０】
接続設定部１７０はさらに、生成したコンテンツ情報Ｉｃをテレビ１００から取得する各種設定情報Ｉｓと比較して、テレビ接続設定を決定してテレビ設定情報Ｓｔをファイルとして生成する。テレビ設定情報Ｓｔには、デジタル放送番組や録画再生されるコンテンツの内容に最適な映像メニュー、サウンドメニュー、および映像出力フォーマットなどの設定項目が含まれる。生成されたテレビ設定情報Ｓｔは、接続設定部１７０からテレビ１００に供給されると共に、ＡＶデコーダ部１６０を介してチューナ１２０に供給される。
【００２１】
テレビ１００は、テレビ設定情報Ｓｔにもとづいて、自身の映像設定の調整や音声設定の調整を行う。ＡＶデコーダ部１６０は、テレビ設定情報Ｓｔに基づいて、ＡＶデコードした映像出力信号（以降、「映像信号Ｓｖ」）のフォーマットを接続されるテレビ１００に最適な設定に変換して、当該接続先テレビ１００に映像出力する。
【００２２】
図２を参照して、上述の自動テレビ接続設定装置１１０の構成および動作について詳しく説明する。テレビ１００は、ＣＰＵ１０１、通信回路１０３、調整部１０４、表示処理部１０５、受像機１０６、音声増幅部１０７、およびスピーカ１０８を含む。
【００２３】
自動テレビ接続設定装置１１０において、ＡＶデコーダ部１６０は、ＣＰＵ１６１、メモリ１６２、ＴＳ／ＰＳデコーダ１６３、デコーダ１６４、およびＤＡコンバータ１６５（図では「Ｄ／Ａ」と表示）を含む。接続設定部１７０は、ファイル生成部１７１、判定部１７２、判定結果ファイル生成部１７３、自動設定ＯＮ／ＯＦＦ部１７４、接続設定変換指示部１７５、および通信回路１７６を含む。
【００２４】
上述のコンテンツデータ源ＳＣから供給（デジタルチューナで受信したデジタル放送番組やＤＶＤレコーダや次世代ＤＶＤレコーダなどを代表とする録画再生系で再生）されたコンテンツデータＣは、ＴＳ／ＰＳデコーダ１６３に入力される。コンテンツデータＣは、ＴＳ／ＰＳデコーダ１６３を介して、デコーダ１６４に伝送され、そしてデコーダ１６４によってＡＶデコードされてデジタルＡＶ信号Ｓｖｄに変換される。この後、デジタルＡＶ信号Ｓｖｄは接続設定変換指示部１７５によってフォーマット調整されてデジタルＡＶ信号Ｓｖｄ‘が生成されるが、これについては後ほど説明する。デジタルＡＶ信号Ｓｖｄ’は、ＤＡコンバータ１６５によって、デジタルからアナログの映像信号Ｓｖおよび音声信号Ｓａに変換されてテレビ１００に入力される。
【００２５】
テレビ１００においては、ＤＡコンバータ１６５から出力された映像信号Ｓｖおよび音声信号Ｓａは、それぞれ表示処理部１０５および音声増幅部１０７に入力される。映像信号Ｓｖは表示処理部１０５で処理された後に、受像機１０６に入力される。当該映像信号Ｓｖに基づいて、受像機１０６は映像を表示する。音声信号Ｓａは、音声増幅部１０７によって増幅された後にスピーカ１０８に入力される。当該音声信号Ｓａに基づいて、スピーカ１０８は音声出力する。
【００２６】
上述の処理と同時に、コンテンツデータ源ＳＣから取得された属性情報ＩａがＴＳ／ＰＳデコーダ１６３を介してメモリ１６２に格納される。ＣＰＵ１６１は、メモリ１６２から属性情報Ｉａを読み出して、接続設定部１７０のファイル生成部１７１に伝送する。ファイル生成部１７１は、属性情報Ｉａ（ジャンル情報や映像情報、音声情報など）に基づいてコンテンツ情報Ｉｃをファイルとして生成する。
【００２７】
また、自動テレビ接続設定装置１１０がテレビ１００に接続されると、テレビ１００のＣＰＵ１０１はメモリ１０２から映像メニューＭｖ、サウンドメニューＭｓ、および映像出力フォーマット設定Ｍｆなどの設定情報を含む各種設定情報Ｉｓを読み出し、通信回路１０３を介して自動テレビ接続設定装置１１０に送信する。なお、この動作はコンテンツデータ源ＳＣ、つまりデジタル放送を受信するチューナ１２０がチャンネル選局した場合や、ＤＶＤレコーダや次世代ＤＶＤレコーダなどを代表とする録画系１３０および再生系１４０でコンテンツが新規に再生される場合にも行なわれる。
【００２８】
自動テレビ接続設定装置１１０において、テレビ１００から送信されてきた各種設定情報Ｉｓは通信回路１７６を介してファイル生成部１７１に伝送される。ファイル生成部１７１は各種設定情報Ｉｓに基づいてテレビ設定情報Ｓｔをファイルとして生成する。
【００２９】
ファイル生成部１７１は、コンテンツ情報Ｉｃとテレビ設定情報Ｓｔを判定部１７２に伝送する。判定部１７２は、テレビ設定情報Ｓｔとコンテンツ情報Ｉｃとを比較して、両者間の整合性を判定する。この判定のために、判定部１７２は、整合データテーブル１７２ａを保持している。
【００３０】
図３に、整合データテーブル１７２ａの一例を示す。整合データテーブル１７２ａには、コンテンツを再生するテレビ１００の設定内容を表す「映像メニュー」、「サウンドメニュー」、「映像情報」、および「音声情報」の４つの設定項目列と、再生されるコンテンツの内容（種類）を表す「ジャンル」項が設けられている。本例においては、ジャンルには、「スポーツ」、「音楽」、「映画」、および「ドラマ」他が挙げられている。
【００３１】
そして、映像設定としては「ダイナミック」、「シネマ」、および「スタンダード」他が挙げられ、サウンドメニュー設定としては「スタジアム」、「ミュージック」、「シネマ」、および「スタンダード」他が挙げられ、映像情報設定としては「Ｄ４＞Ｄ３＞Ｄ２＞Ｄ１」が挙げられ、音声情報設定としては「ステレオ＞モノラル」が挙げられている。なお、図３に示されているジャンルと設定項目列は一例であって、項目の種類や組み合わせは自由に変えることができることは言うまでもない。
【００３２】
判定部１７２は、判定結果Ｊを判定結果ファイル生成部１７３に伝送する。判定結果ファイル生成部１７３は判定結果Ｊに基づいて、判定結果情報Ｉｊをファイルとして生成する。例えば、判定結果Ｊが「整合が取れている」ことを表す場合、判定結果ファイル生成部１７３は、「Ｎｏ  Ｃｈａｎｇｅ」という内容の判定結果情報Ｉｊを生成する。
【００３３】
一方、判定結果Ｊが「整合が取れていない」ことを表す場合は、判定結果ファイル生成部１７３はデータテーブル１７２ａに基づいて、テレビ１００を再生するコンテンツに最適な設定にするための各種設定情報を判定結果情報Ｉｊとして生成する。ファイル化された判定結果情報Ｉｊは、自動設定ＯＮ／ＯＦＦ部１７４を介して、判定結果ファイル生成部１７３から接続設定変換指示部１７５に伝送される。そして、判定結果情報Ｉｊに基づいて、接続設定変換指示部１７５は、各種設定を自動的に行なう。但し、接続設定変換指示部１７５による自動設定の実行および非実行は、自動設定ＯＮ／ＯＦＦ部１７４によって選択できる。
【００３４】
接続設定変換指示部１７５による自動設定は以下の如く行われる。映像メニューＭｖに関しては、接続設定変換指示部１７５からの変換指示Ｍｖｃが通信回路１７６を介してテレビ１００に送信される。テレビ１００においては、通信回路１０３が受信した変更指示ＭｖｃはＣＰＵ１０１を介して調整部１０４に伝送される。調整部１０４は、変換指示Ｍｖｃに基づいて、テレビ１００の映像メニューＭｖをデジタル放送番組や再生コンテンツに適した設定に再設定し受像機１０６に出力する。
【００３５】
サウンドメニューＭｓに関しても、変換指示Ｍｖｃ同様に、接続設定変換指示部１７５からの変換指示Ｍｓｃが通信回路１７６、通信回路１０３、およびＣＰＵ１０１を介して調整部１０４に伝送される。調整部１０４は、変換指示Ｍｓｃに基づいて、サウンドメニューＭｓをデジタル放送番組や再生コンテンツに適した設定に再設定してスピーカ１０８に再生する。
【００３６】
映像出力フォーマット設定に関しては、デコーダ１６４から出力されるデコードされたデジタルＡＶ信号Ｓｖｄに対して、接続設定変換指示部１７５がテレビ１００に最適な映像フォーマットＭｆを指示する変換指示Ｍｆｃが出力される。結果、デジタルＡＶ信号Ｓｖｄのフォーマットが変換されたデジタルＡＶ信号Ｓｖｄ‘がＤＡコンバータ１６５に伝送される。ＤＡコンバータ１６５は、デジタルＡＶ信号Ｓｖｄ’をアナログの映像信号Ｓｖおよび音声信号Ｓａに変換した後に、テレビ１００に伝送する。この映像信号Ｓｖに基づいて、受像機１０６でテレビ１００に最適な映像出力フォーマットで映像が表示される。上述の変換指示Ｍｖｃ、Ｍｓｃ、およびＭｆｃを変換指示Ｍｃと総称する。
【産業上の利用可能性】
【００３７】
本発明にかかる自動テレビ接続設定装置は、ＨＤＭＩ規格に準拠したデジタルインターフェイスなどを備えたデジタル受信装置等に有用である。
【図面の簡単な説明】
【００３８】
【図１】本発明の実施の形態にかかる自動テレビ接続設定装置を中心とする接続関係を示す説明図
【図２】図１の自動テレビ接続設定装置とテレビとの構成を示すブロック図
【図３】図２の判定部で用いられる整合データテーブルの一例を示す説明図
【図４】従来の自動テレビ接続設定装置の構成を示すブロック図
【符号の説明】
【００３９】
１００    テレビ
１０１    ＣＰＵ
１０２    メモリ
１０３    通信回路
１０４    調整部
１０５    表示処理部
１０６    受像機
１０７    音声増幅部
１０８    スピーカ
１１０    自動テレビ接続設定装置
１２０    チューナ
１３０    録画系
１４０    再生系
１５０    ＬＡＮ
１６０    ＡＶデコーダ部
１６１    ＣＰＵ
１６２    メモリ
１６３    ＴＳ／ＰＳデコーダ
１６４    ＡＶデコーダ
１６５    ＤＡコンバータ
１７０    接続設定部
１７１    ファイル生成部
１７２    判定部
１７２ａ    整合ファイルテーブル
１７３  判定結果ファイル生成部
１７４  自動設定ＯＮ／ＯＦＦ部
１７５  接続設定変換指示部
【図１】
2008227641.tif 000003
【図２】
2008227641.tif 000004
【図３】
2008227641.tif 000005
【図４】
2008227641.tif 000006